(57)【要約】【課題】  被検者の打撲や炎症等の患部の状態及びその状態の回復傾向を容易に知ることが可能である患部回復状態判定装置、及びプログラムを提供する。【解決手段】  被検者の身体を特定する身体特定情報である生体インピーダンス値を測定するための生体インピーダンス値測定回路８と、前記生体インピーダンス値の変化に基づいて前記被検者の患部の回復状態を判定するための演算処理部１３と、前記判定された前記被検者の患部の回復状態を表示する表示部５とを有する患部回復状態判定装置であって、少なくとも前記生体インピーダンス値測定回路と前記演算処理部と前記表示部とを患部の回復状態を判定するために機能させる制御演算プログラムを記憶部１６に記憶している。【選択図】  図３
2005095384.tif 000002
【特許請求の範囲】
【請求項１】
被検者の身体を特定する身体特定情報を測定するための測定手段と、前記身体特定情報の変化に基づいて前記被検者の患部の回復状態を判定するための演算手段とを備えている、患部回復状態判定装置。
【請求項２】
前記身体特定情報の変化が、前記被検者の生体インピーダンス値の変化である、請求項１記載の患部回復状態判定装置。
【請求項３】
前記生体インピーダンス値の変化が、前記患部を有しない状態での前記生体インピーダンス値に基づく基準値と、前記患部を有する状態での前記生体インピーダンス値との比較に基づいている、請求項２記載の患部回復状態判定装置。
【請求項４】
前記基準値が、前記患部を有しない状態での前記生体インピーダンス値の最頻値、中央値、若しくは平均値の何れかである、請求項３記載の患部回復状態判定装置。
【請求項５】
前記演算手段が前記生体インピーダンス値を記憶する記憶手段を備え、
前記基準値が、前記記憶手段に過去に記憶された前記最頻値、中央値、若しくは平均値の何れかである、請求項４記載の患部回復状態判定装置。
【請求項６】
前記生体インピーダンス値が、前記被検者の一身体部位について測定した生体インピーダンス値である、請求項２乃至５記載の患部回復状態判定装置。
【請求項７】
前記生体インピーダンス値が、前記被検者の一身体部位と、該一身体部位と左右対称な身体部位との各々について測定した生体インピーダンス値の差である、請求項２乃至５記載の患部回復状態判定装置。
【請求項８】
前記患部として、打撲、細菌感染を伴う外傷、若しくは炎症を伴う皮膚障害の何れかを対象とする、請求項１記載の患部回復状態判定装置。
【請求項９】
前記判定する前記被検者の患部の回復状態が、定量的に導出される、請求項１記載の患部回復状態判定装置。
【請求項１０】
前記判定する前記被検者の患部の回復状態が、定性的に導出される、請求項１記載の患部回復状態判定装置。
【請求項１１】
少なくとも前記測定する前記被検者の前記身体特定情報と、前記判定する前記被検者の患部の回復状態と、前記患部の名称とを表示するための表示手段を更に備えている、請求項１記載の患部回復状態判定装置。
【請求項１２】
被検者の身体を特定する身体特定情報を測定するための測定手段と演算手段としてコンピュータを機能させるための患部回復状態判定プログラムであって、
前記演算手段が、前記身体特定情報の変化に基づいて前記被検者の患部の回復状態を判定する、患部回復状態判定プログラム。
【請求項１３】
前記身体特定情報の変化が、前記被検者の生体インピーダンス値の変化である、請求項１２記載の患部回復状態判定プログラム。
【請求項１４】
前記生体インピーダンス値の変化が、前記患部を有しない状態での前記生体インピーダンス値に基づく基準値と、前記患部を有する状態での前記生体インピーダンス値との比較に基づいている、請求項１３記載の患部回復状態判定プログラム。
【請求項１５】
前記基準値が、前記患部を有しない状態での前記生体インピーダンス値の最頻値、中央値、若しくは平均値の何れかである、請求項１４記載の患部回復状態判定プログラム。
【請求項１６】
前記演算手段が前記生体インピーダンス値を記憶する記憶手段を備え、
前記基準値が、前記記憶手段に過去に記憶された前記最頻値、中央値、若しくは平均値の何れかである、請求項１５記載の患部回復状態判定プログラム。
【請求項１７】
前記生体インピーダンス値が、前記被検者の一身体部位について測定した生体インピーダンス値である、請求項１３乃至１６記載の患部回復状態判定プログラム。
【請求項１８】
前記生体インピーダンス値が、前記被検者の一身体部位と、該一身体部位と左右対称な身体部位との各々について測定した生体インピーダンス値の差である、請求項１３乃至１６記載の患部回復状態判定プログラム。
【請求項１９】
前記患部として、打撲、細菌感染を伴う外傷、若しくは炎症を伴う皮膚障害の何れかを対象とする、請求項１２記載の患部回復状態判定プログラム。
【請求項２０】
前記判定する前記被検者の患部の回復状態が、定量的に導出される、請求項１２記載の患部回復状態判定プログラム。
【請求項２１】
前記判定する前記被検者の患部の回復状態が、定性的に導出される、請求項１２記載の患部回復状態判定プログラム。
【発明の詳細な説明】
【技術分野】
【０００１】
本発明は、人体の生体インピーダンス値に基づいて患部の回復状態を判定するための患部回復状態判定装置、及びプログラムに関する。
【背景技術】
【０００２】
人体の健康度を表す健康指標としては、例えば、体脂肪率がある。そして、この健康指標の一つである体脂肪率を推定する健康指標推定装置としては、生体電気インピーダンス法（ＢＩＡ）を用いる体脂肪計がある。この体脂肪計は、被検者の体脂肪率や内臓脂肪面積指数等の脂肪分布に関する健康指標を簡易的に求めることができ、又、そのような健康指標の測定によって個人の健康管理を日常的に容易に行うことができる等の理由により、近年、一般家庭に普及している。
【０００３】
この体脂肪計では、被検者の身体を特定する身体特定情報である身長、体重及び年齢等を体脂肪計に予め入力した後に、被検者の生体インピーダンス値を測定する。そして、その測定された被検者の生体インピーダンス値と、予め入力された身長、体重及び年齢等の身体特定情報とを、後述する参照基準法による測定値を基にして算出した体脂肪率の推定式に代入することによって、被検者の体脂肪率を推定し表示している。ここで、体脂肪率等の健康指標を求める際に用いる推定式は、推定しようとする健康指標と相関の高い後述するパラメータを選択した後、所定の母集団に属する被検者について、その健康指標及びパラメータを測定し、その測定された各々の測定データを回帰分析することによって得る。又、参照基準法としては、コンピュータ断層撮影法（ＣＴ−Ｓｃａｎ）、二重エネルギーＸ線吸収法（ＤＥＸＡ）、磁気共鳴画像法（ＭＲＩ）、水中体重秤量法等が挙げられる。又、パラメータとしては、被検者の身長、体重、年齢、生体インピーダンス値等が挙げられる。
【０００４】
ところで、体脂肪計において用いられる生体インピーダンス値は、所定の交流電流を被検者の体内において、除脂肪組織の大部分である筋肉や、間質液、血漿、脳脊髄液、リンパ液等の細胞外液等の導通経路に流すことによって得られる電気的データである。そして、被検者の細胞外液の量が変化する場合には、その細胞外液の量の変化に応じて生体インピーダンス値も変化する。従って、この生体インピーダンス値を測定することによれば、上述した被検者の体脂肪率の推定のみならず、被検者の水分量に関する健康指標を簡易的に求めることが可能になる。そこで、近年では、被検者の生体インピーダンス値を測定し、その測定された生体インピーダンス値に基づいて、被検者の水分量に関する健康指標の一つである血行状態を推定する血行状態表示装置が提案されている（例えば、特許文献１参照）。又、一般的に、身体が疲労状態にあるときには、その身体における血行状態は悪化している。つまり、身体における血行状態と疲労度とは、相互に強く関連している。そこで、近年では、被検者の生体インピーダンス値を測定し、その測定された生体インピーダンス値に基づいて、被検者の水分量に関する健康指標の一つである疲労度を推定する健康管理指針アドバイス装置が提案されている（例えば、特許文献２参照）。このように、今日では、被検者の生体インピーダンス値を測定することによって、被検者の体脂肪率のみならず、被検者の血行状態や疲労度を推定することが可能になっている。
【特許文献１】特開平１１−０７６１８９号公報
【特許文献２】特開２０００−０２３９３６号公報
【発明の開示】
【発明が解決しようとする課題】
【０００５】
ところで、被検者の身体の一部分が、例えば打撲、切り傷又は刺し傷等の外傷による細菌感染、炎症を伴う皮膚障害、虫さされや日焼け、薬かぶれ等により血液やリンパ液等の細胞外液が滞留して腫れを起こした場合、その腫れを起こした部分（以下、患部という）においては水分量が著しく増加し、従って被検者の生体インピーダンス値が低下する。
【０００６】
しかしながら、従来の血行状態表示装置や健康管理指針アドバイス装置等の健康指標推定装置は、生体インピーダンス値を利用するものではあるが、そもそも被検者の血行状態や疲労度を推定するものであるため、その患部の状態を推定することはできない。その一方、生体インピーダンス値は日内変動するため、患部の生体インピーダンス値の変化を正確に測定するのは容易ではない。従って、従来は、被検者の患部の状態及びその回復傾向を簡易に推定することができなかった。
【０００７】
本発明は、このような課題を解決するためになされたものであり、被検者の打撲や炎症等の患部の状態及びその状態の回復傾向を容易に知ることが可能である患部回復状態判定装置、及びプログラムを提供することを目的としている。
【課題を解決するための手段】
【０００８】
上記課題を解決するために、本発明に係る患部回復状態判定装置、及びプログラムは、被検者の身体を特定する身体特定情報を測定するための測定手段と、前記身体特定情報の変化に基づいて前記被検者の患部の回復状態を判定するための演算手段とを備えている（請求項１）。又、被検者の身体を特定する身体特定情報を測定するための測定手段と演算手段としてコンピュータを機能させるための患部回復状態判定プログラムであって、前記演算手段が、前記身体特定情報の変化に基づいて前記被検者の患部の回復状態を判定する（請求項１２）。かかる構成とすると、測定する被検者の身体特定情報の変化に基づいて、被検者の患部の回復状態に係る定量的又は定性的な情報を得ることが可能になる。
【０００９】
又、前記身体特定情報の変化が、前記被検者の生体インピーダンス値の変化である（請求項２，１３）。かかる構成とすると、被検者の生体インピーダンス値を測定する技術は確立されており、従って被検者の生体インピーダンス値の測定は容易に行え得るので、被検者の患部の回復状態に係る情報を容易に得ることが可能になる。
【００１０】
又、前記生体インピーダンス値の変化が、前記患部を有しない状態での前記生体インピーダンス値に基づく基準値と、前記患部を有する状態での前記生体インピーダンス値との比較に基づいている（請求項３，１４）。かかる構成とすると、被検者の患部を有しない状態での生体インピーダンス値に基づく基準値と、被検者の患部を有する状態での生体インピーダンス値とが比較されるので、被検者の患部の回復状態が被検者の生体インピーダンス値の変化から好適に判定される。
【００１１】
又、前記基準値が、前記患部を有しない状態での前記生体インピーダンス値の最頻値、中央値、若しくは平均値の何れかである（請求項４，１５）。かかる構成とすると、被検者の患部を有しない状態での生体インピーダンス値と、被検者の患部を有する状態での生体インピーダンス値とが好適に比較されるので、被検者の患部の回復傾向を的確に判定することが可能になる。
【００１２】
又、前記演算手段が前記生体インピーダンス値を記憶する記憶手段を備え、前記基準値が、前記記憶手段に過去に記憶された前記最頻値、中央値、若しくは平均値の何れかである（請求項５，１６）。かかる構成とすると、被検者の患部の回復状態を判定する毎に被検者の患部を有しない状態での生体インピーダンス値を測定する必要が無くなるので、被検者の患部の回復状態を判定する際の手間が簡略化される。
【００１３】
又、前記生体インピーダンス値が、前記被検者の一身体部位について測定した生体インピーダンス値である（請求項６，１７）。かかる構成とすると、絶対的に導出される被検者の生体インピーダンス値は被検者の患部の回復状態に係る情報を好適に含有しているので、被検者の患部の回復傾向を的確に判定することが可能になる。
【００１４】
又、前記生体インピーダンス値が、前記被検者の一身体部位と、該一身体部位と左右対称な身体部位との各々について測定した生体インピーダンス値の差である（請求項７，１８）。かかる構成とすると、相対的に導出した被検者の生体インピーダンス値は日内変動の影響を受けないので、被検者の患部の回復傾向を的確に判定することが可能になる。
【００１５】
又、前記患部として、打撲、細菌感染を伴う外傷、若しくは炎症を伴う皮膚障害の何れかを対象とする（請求項８，１９）。かかる構成とすると、これらの打撲、細菌感染を伴う外傷、若しくは炎症を伴う皮膚障害においては血液やリンパ液が溜まることによる腫れが発生し、これにより生体インピーダンス値に変化が生じるので、患部の回復傾向を好適に判定することが可能になる。
【００１６】
又、前記判定する前記被検者の患部の回復状態が、定量的に導出される（請求項９，２０）。かかる構成とすると、前記被検者の患部の回復状態を数値によって明確に確認することが可能になる。
【００１７】
又、前記判定する前記被検者の患部の回復状態が、定性的に導出される（請求項１０，２１）。かかる構成とすると、前記被検者の患部の回復状態を数値以外の表示手段によって明確に確認することが可能になる。
【００１８】
又、少なくとも前記測定する前記被検者の前記身体特定情報と、前記判定する前記被検者の患部の回復状態と、前記患部の名称とを表示するための表示手段を更に備えている（請求項１１）。かかる構成とすると、前記被検者の身体特定情報と、前記被検者の患部の回復状態と、前記患部の名称とを、記録紙等の表示媒体を用いずに目視によって容易に確認することが可能になる。
【発明の効果】
【００１９】
本発明は以上に説明したような構成によって実施され、被検者の打撲や炎症等の患部の状態及びその状態の回復傾向を容易に知ることが可能である患部回復状態判定装置、及びプログラムを提供することができるという効果を奏する。
【発明を実施するための最良の形態】
【００２０】
以下、本発明を実施するための最良の形態について、図面を参照しながら説明する。
【００２１】
先ず、本発明の実施の形態に係る患部回復状態判定装置の構成について、図１及び図２を用いて説明する。
【００２２】
図１は、本発明の実施の形態に係る患部回復状態判定装置の構成を模式的に示す斜視図である。又、図２は、患部回復状態判定装置が有する判定表示部の構成を模式的に示す平面図である。ここで、患部回復状態判定装置とは、生体電気インピーダンス法を利用して被検者の打撲や炎症等の患部の状態及びその状態の回復傾向を判定し、かつ、その判定された判定結果を表示手段に表示する装置をいう。
【００２３】
図１に示すように、本実施の形態に係る患部回復状態判定装置１は、設置部４と、該設置部４に対して着脱自在な判定表示部２とを有して構成されている。ここで、図１では、設置部４と判定表示部２とが相互に隔離された状態が図示されている。尚、判定表示部２を設置部４に装着する場合には、判定表示部２を、該判定表示部２の脱着部２ａが設置部４に設けられている収納領域４ａ内に位置するように設置する。そして、この設置部４と判定表示部２とは、接続ケーブル３によって相互に電気的に接続されている。つまり、患部回復状態判定装置１は、設置部４と判定表示部２とが接続ケーブル３を介して相互に電気的に接続されることによって、患部回復状態判定装置１としての所定の機能を発現するように構成されている。
【００２４】
又、図１に示すように、設置部４は、生体インピーダンス測定面９を有している。そして、この生体インピーダンス測定面９上には、生体インピーダンス値を測定する際に使用する電極Ｅ５，Ｅ６，Ｅ７，Ｅ８の各々が所定の位置に配設されている。ここで、被検者が自身の生体インピーダンス値を測定する際には、被検者の左脚を電極Ｅ５，Ｅ６上に渡るように、又、右脚を電極Ｅ７，Ｅ８上に渡るように、各々乗せる。この時、被検者の左右各々の脚裏の土踏まずより前方部分（以下、母指丘部分という）を電極Ｅ５，Ｅ８に接触させると共に、左右各々の脚裏の踵部分を電極Ｅ６，Ｅ７に接触させるようにする。尚、設置部４の生体インピーダンス測定面９は、ここでは、被検者の体重を測定することができるように構成されている。そのため、生体インピーダンス測定面９の裏面には、生体インピーダンス測定面９上に乗った被検者の体重を測定することができるように、ここでは図示されないロードセル等の重量測定手段が配設されている。
【００２５】
一方、図１に示すように、判定表示部２は、表示部５と、操作部６と、支持部７ａ及び７ｂとを有している。表示部５には、後述する操作部６を操作して入力される被検者の身長、年齢、性別等の身体特定情報や、患部が位置する部位の名称及び患部回復状態判定結果等の各種データが表示される。又、図２に示すように、操作部６には、電源ＯＮ／ＯＦＦキー６ａ、初期設定モード及び測定モード及び登録モード等の各種モード切り換えキー６ｂと、被検者を特定する身長、年齢及び性別等の各種個人データ等を入力する際の設定画面を切り換えるための設定画面切り換えキー６ｃと、前記各種個人データ等を記憶部に記憶させるための登録キー６ｄと、被検者の患部の状態、及びその回復傾向の判定を行うための判定キー６ｅと、前記各種個人データ等を入力するためのテンキー６ｆと、被検者の生体インピーダンス値を測定するための測定キー６ｇとが配設されている。これらの各種入力キー６ａ〜６ｇを適宜操作することによって、患部回復状態判定装置１による被検者の生体インピーダンス値の測定と、その測定によって得られた判定結果の表示とが行われる。又、図１及び図２に示すように、判定表示部２には、板状に突出してなる支持部７ａ及び７ｂが設けられている。そして、この支持部７ａ及び７ｂには、生体インピーダンス値を測定する際に使用する電極Ｅ１，Ｅ２，Ｅ３，Ｅ４が配設されている。被検者は、自身の生体インピーダンス値を測定するために判定表示部２を保持する際には、例えば、支持部７ａに配設されている電極Ｅ１に左手の人差し指を接触させると共に電極Ｅ２に親指を接触させ、かつ、支持部７ｂに配設されている電極Ｅ３に右手の親指を接触させると共に電極Ｅ４に右手の人差し指を接触させるようにして、判定表示部２を保持する。
【００２６】
患部回復状態判定装置１において、判定表示部２に配設されている電極Ｅ１〜Ｅ４と、設置部４に配設されている電極Ｅ５〜Ｅ８とは、後述する生体インピーダンス値測定回路８と共に、被検者の生体インピーダンス値を測定するための生体インピーダンス値測定手段を構成している。より具体的には、電極Ｅ１と電極Ｅ５とは、被検者の左手の人差し指と左脚の母指丘部分とを測定路末端とする電流経路に所定の高周波電流を流すための電極である。又、電極Ｅ４と電極Ｅ８とは、被検者の右手の人差し指と右脚の母指丘部分とを測定路末端とする電流経路に所定の高周波電流を流すための電極である。更に、電極２及び電極３と、電極６及び電極７とは、これら各電極内の２つの電極を介して被検者の身体の各部位における生体インピーダンス値に応じた電圧を測定するために用いられる電極である。そして、電極Ｅ１〜Ｅ４は、判定表示部２の内部において図示されない所定の配線によって生体インピーダンス値測定回路８に接続されている。又、電極Ｅ５〜Ｅ８は、接続ケーブル３を介して生体インピーダンス値測定回路８に接続されている。
【００２７】
次に、本発明の実施の形態に係る患部回復状態判定装置の電気回路の構成について、図３を用いて説明する。
【００２８】
図３は、本発明の実施の形態に係る患部回復状態判定装置の電気回路の構成を模式的に示すブロック図である。
【００２９】
図３に示すように、患部回復状態判定装置１は、演算処理部１３を有している。この演算処理部１３は、ＣＰＵ等の演算処理装置からなる演算部１５と、メモリ等の記憶装置からなる記憶部１６とを有して構成されている。ここで、演算部１５では、記憶部１６に記憶された各種データや各種ルーチンに基づく演算及び判定処理等が実行される。又、記憶部１６では、操作部６に配設された各種入力キー６ａ〜６ｇが適宜操作されて入力された被検者を特定する様々な身体特定情報や、電極Ｅ１〜Ｅ８を介して測定された被検者の身体各部位、例えば、左腕部、右腕部、胴体部、左脚部、右脚部等の生体インピーダンス値が記憶される。又、記憶部１６では、過去に測定された被検者の身体部位毎の複数の生体インピーダンス値が、その測定日時と共に記憶される。又、記憶部１６では、被検者の患部の回復状態を判定するために用いられる演算部１５により求められた被検者の生体インピーダンス値に係る各種基準値や、該各種基準値を算出するための演算式等、患部回復状態判定装置１が動作するために必要な情報及び各種プログラム等が記憶される。尚、記憶部１６では、後述するロードセル１０等の重量測定手段によって測定された被検者の体重データも記憶される。又、演算部１５と記憶部１６とは、バスを介して相互に電気的に接続されている。
【００３０】
一方、演算処理部１３には、生体インピーダンス値測定回路８と、各種入力キー６ａ〜６ｇと、表示部５と、ロードセル１０と、時計１４とが、Ｉ／Ｏ１２を介して電気的に接続されている。
【００３１】
生体インピーダンス値測定回路８は、電極Ｅ１〜Ｅ８を介して被検者の身体の各部位毎における生体インピーダンス値を測定する。より具体的には、この生体インピーダンス値測定回路８は、ここでは図示しない複数の相異なる周波数の高周波電流を出力する高周波電流源と、高周波電流が流れる電流経路における相異なる２点間の電圧差を測定する図示しない電圧測定器とを備えている。そして、生体インピーダンス値測定回路８における高周波電流源は後述する電極切り換えスイッチ１１を介して電極Ｅ１及びＥ５、又は電極Ｅ４及びＥ８に電気的に接続されており、これにより被検者の身体の左手及び左脚、又は右手及び右脚を末端とする電流経路に所定の周波数の高周波電流を流す。一方、生体インピーダンス値測定回路８における電圧測定器は、後述する電極切り換えスイッチ１１を介して４つの電極Ｅ２，Ｅ３，Ｅ６，Ｅ７の内の何れか２つの電極と適宜接続され、該接続された２つの電極間における電圧差を測定する。そして、前記高周波電流源から供給された電流値と前記電圧測定器によって測定された電圧差とから、被検者の生体インピーダンス値が身体部位毎に求められる。このように、生体インピーダンス値測定回路８と電極切り換えスイッチ１１と電極Ｅ１〜Ｅ８が用いられることにより、被検者の身体における部位毎の生体インピーダンス値が測定される。尚、生体インピーダンス値測定回路８は、被検者の身体の細胞外液及び細胞内液の比率を求めることも可能である。
【００３２】
又、各種入力キー６ａ〜６ｇは前述した通りであり、操作部６は、電源ＯＮ／ＯＦＦキー６ａと、モード切り換えキー６ｂと、設定画面切り換えキー６ｃと、登録キー６ｄと、判定キー６ｅと、テンキー６ｆと、測定キー６ｇとで構成されている。
【００３３】
又、表示部５は、操作部６の各種キー６ａ〜６ｇが適宜操作されて入力された被検者の身長、体重、年齢及び性別等の各種身体特定情報や、ロードセル１０によって測定された被検者の体重や、過去に測定された被検者の健康状態における生体インピーダンス値に基づいて求めら記憶部１６から読み出された基準値や、生体インピーダンス値測定回路８によって測定された被検者の身体の部位毎における生体インピーダンス値等が表示される。又、前記基準値と、被検者が患部を有する状態で測定された生体インピーダンス値との比較によって判定された患部回復状態等も表示される。
【００３４】
又、ロードセル１０は、被検者の体重を測定するための重量測定手段を構成している。この重量測定手段は、図１に示す生体インピーダンス測定面９の上部に被検者が乗った場合に、該被検者の体重がロードセル１０によって計測されるように構成されている。尚、ロードセル１０から出力される被検者の体重データに係る信号は、測定精度を確保するべく特に図示されないアンプによって増幅された後にＡ／Ｄ変換され、このＡ／Ｄ変換によりディジタル信号としてＩ／Ｏ１２を介して演算処理部１３に入力される。演算処理部１３に入力された被検者の体重データに係るデータは、被検者の身体特定情報の一項目として記憶部１６に記憶される。
【００３５】
又、時計１４は、被検者が生体インピーダンス値を測定した時刻を、該測定した生体インピーダンス値と合わせて記憶部１６が記憶するために用いられる。
【００３６】
又、上述した生体インピーダンス値測定回路８には、電極切り換えスイッチ１１が接続されている。そして、この電極切り換えスイッチ１１には、被検者の手又は脚の所定の部位と接触する電極Ｅ１〜Ｅ８が接続されている。この電極切り換えスイッチ１１は、被検者の生体インピーダンス値を測定するために必要な電極Ｅ１〜Ｅ８と生体インピーダンス値測定回路８との接続状態を、必要に応じて適宜切り換える。
【００３７】
以上の構成により、患部回復状態判定装置１では、被検者が操作部６を適宜操作して被検者の身長、体重、年齢及び性別等の身体特定情報を入力することが可能であり、この操作入力されたデータは必要に応じてＡ／Ｄ変換器によってディジタル信号に変換された後に、演算処理部１３に入力される。そして、演算処理部１３に入力された前記身体特定情報は、適宜、記憶部１６に記憶される。又、被検者は判定表示部２を電極Ｅ１〜Ｅ４に接触するように前述の如く両手で保持すると共に、設置部４の電極Ｅ５〜Ｅ８上に両脚を乗せる。すると、操作部６を適宜操作することにより被検者の生体インピーダンス値が測定され、その測定された生体インピーダンス値は必要に応じてＡ／Ｄ変換器によってディジタル信号に変換された後、適宜、記憶部１６に記憶される。そして、演算処理部１３は、記憶部１６に記憶された情報に基づいて、被検者の患部の状態及びその回復傾向等を表示部５に表示する。つまり、被検者は、患部回復状態判定装置１を用いることによって、生体インピーダンス値の変化に基づいて打撲や炎症等の患部の状態及びその状態の回復傾向を容易に知ることができる。
【００３８】
次に、以上のように構成された患部回復状態判定装置１の動作について、図面を参照しながら説明する。
【００３９】
図４は、患部回復状態判定装置１の動作の一例を示すフローチャート図である。尚、ここでは、被検者の生体インピーダンス値の絶対値の変化に基づいて患部の状態及びその回復傾向を判定する場合について説明する。
【００４０】
尚、本発明に係る患部回復状態判定装置１では、購入後、初めて電池を装着した際に初期設定を行う必要がある。そのため、モード切り換えキー６ｂを操作して、患部回復状態判定装置１の動作モードを初期設定モードにする。そして、患部回復状態判定装置１の動作モードが初期設定モードに設定された後、テンキー６ｆを操作することによって、操作時点における年、月、日や時刻等のデータを入力する。尚、この操作時の年、月、日や時刻等のデータの入力は、設定画面切り換えキー６ｃを操作することにより、年、月、日及び時刻等の各々を入力するための設定画面が適宜切り換えられ行われる。又、設定画面切り換えキー６ｃは、上記年、月、日及び時刻の入力時以外に、被検者の身長、体重、年齢及び性別等の身体特定情報の入力時にも同様の目的で操作される。そして、以上により、患部回復状態判定装置１の初期設定が終了する。
【００４１】
さて、図４において、電源ＯＮ／ＯＦＦキー６ａを押すと、患部回復状態判定装置１の電源がＯＮする（ステップＳ１）。これによって、患部回復状態判定装置１は使用可能待機状態になる。その後、モード切り換えキー６ｂを操作することによって、患部回復状態判定装置１の動作モードを登録モードに切り換える（ステップＳ２）。そして、設定画面切り換えキー６ｃを操作しながら、被検者の身長、体重、年齢及び性別等の身体特定情報を、テンキー６ｆ及び登録キー６ｄを操作することによって記憶部１６に登録する。（ステップＳ３）。尚、このステップＳ３における被検者の身体特定情報の入力は、被検者を分類しかつ特定するために行われる操作である。そして、被検者の身体特定情報が入力され、記憶部１６に登録された後、モード切り換えキー６ｂを操作することによって、患部回復状態判定装置１の動作モードを絶対値測定モードに切り換える（ステップＳ４）。続いて、被検者は、判定表示部２を両手で保持すると共に、設置部４上に乗る。この時、被検者は、左脚裏の母子丘部分を電極Ｅ５に接触させかつ左脚踵を電極Ｅ６に接触させると共に、右脚裏の母子丘部分を電極Ｅ８に接触させかつ右脚踵を電極Ｅ７に接触させるように設置部４上に乗り、左手人差し指を電極Ｅ１に接触させかつ左手親指を電極Ｅ２に接触させると共に、右手人差し指を電極Ｅ４に接触させかつ右手親指を電極Ｅ３に接触させるように判定表示部２を保持する。このように、被検者が測定姿勢をとった後、判定表示部２の支持部７ｂ上に配設されている測定キー６ｇを押し、被検者の生体インピーダンス値の測定を開始する（ステップＳ５）。尚、測定される被検者の生体インピーダンス値に対する就寝時における水分バランスの偏りの影響を排除するために、測定は朝を避けて行うようにする。次に、ステップＳ５によって被検者の生体インピーダンス値の測定が開始された後、被検者の両腕及び両脚の生体インピーダンス値が安定しているか否かが判定される（ステップＳ６）。そして、ステップＳ６によって被検者の両腕及び両脚の生体インピーダンス値が安定していることが確認されると、被検者の身体部位毎（右腕、左腕、右脚及び左脚の各々）における生体インピーダンス値の測定が開始される（ステップＳ７）。この時、測定される被検者の身体部位毎の生体インピーダンス値は、測定した日時と共に記憶部１６に記憶される。又、ステップＳ７において被検者の生体インピーダンス値が測定されている間は、表示部５には生体インピーダンス値の測定中であることを意味する所定のコメントが表示される。次に、ステップＳ７によって被検者の身体部位毎の生体インピーダンス値が測定された後に、判定キー６ｅを押す。すると、演算処理部１３においては、前記測定された被検者の身体部位毎の各々の生体インピーダンス値が、予め記憶部１６に記憶されている被検者の過去のステップＳ７が実行された時刻と同時刻における健康状態での身体部位毎の各々の生体インピーダンス値（以下、基準値という）と比較される（ステップＳ８）。ここで、前記基準値としては、被検者の健康時における身体部位毎に複数回測定された生体インピーダンス値の最頻値、中央値若しくは平均値の何れか一つの値が採用される。又、ステップＳ８において、ステップＳ７で測定された被検者の生体インピーダンス値と、被検者の過去のステップＳ７が実行された時刻と同時刻における健康時の基準値とが比較される理由は、被検者の生体インピーダンス値の日内変動の影響を排除するためである。つまり、ステップＳ７で測定される生体インピーダンス値と、同時刻に測定された前記基準値とを比較することによって、被検者の患部の状態及びその回復傾向を正確に判定することが可能になる。そして、被検者の身体部位毎の生体インピーダンス値が前記基準値と各々比較されることにより、被検者の患部が存在する部位の名称と、該患部の状態及びその回復傾向が判定され、その判定された結果が表示部５に表示される（ステップＳ９）。
【００４２】
ここで、表示部５に表示される表示画面について、図面を参照しながら説明する。図５は、表示部５に表示される表示画面の一例を模式的に示す平面図である。図５に示すように、表示部５には、被検者の患部を有する部位の名称と、その患部を有する部位を含む電流経路で測定された生体インピーダンス値の測定値と、過去に測定され記憶部１６に記憶されている基準値と、被検者の患部の回復状況とが表示されている。ここでは、患部を有する部位の名称は左脚であり、測定された生体インピーダンス値は２７９Ωであり、基準値としての生体インピーダンス値は２８７Ωであり、判定結果として患部の回復状況は良好であると表示されている。尚、患部の回復状況が思わしくないと判定された場合には、表示部５にはその旨が表示される。
【００４３】
一方、図６は、表示部５に表示される表示画面の他の例を模式的に示す平面図である。図６に示すように、表示部５には、被検者の患部を有する部位の名称と、その患部の回復度と、該回復度のランク表示とが表示されている。ここでは、患部を有する部位の名称は左脚であり、その患部の回復度は７６％であり、その回復度のランク表示は図６に示した通りである。このように、表示部５に表示される表示画面としては図６に示す表示画面としてもよく、これによって、被検者の患部の回復状態を視覚的に把握することが可能になる。
【００４４】
最後に、図４において、患部回復状態判定装置１の使用を終了する際には、電源ＯＮ／ＯＦＦキー６ａを押して患部回復状態判定装置１の電源をＯＦＦする（ステップＳ１０）。これにより、患部回復状態判定装置１は使用停止状態になる。
【００４５】
（実施例１）
被検者の患部の回復度を求め、かつ表示する患部回復状態判定装置１についての実施例について、実施例１として以下に説明する。ここで、本実施例は、患部として打撲を負った身体部位の生体インピーダンス値（絶対値）を測定して、その生体インピーダンス値の絶対値の経時的変化から被検者の患部の状態及びその回復傾向を判定した例である。
【００４６】
図７は、被検者の患部の経時的な回復状態を模式的に示すグラフである。ここで、図７においては、一点鎖線は被検者の左脚に係る生体インピーダンス値の基準値を示し、点線は被検者の左脚に係る測定された生体インピーダンス値の経時的変化を示している。
【００４７】
図７に示すように、先ず、被検者の患部を有さない状態（即ち、健康状態）において左脚の生体インピーダンス値の測定を測定開始初日から９日後まで行い、これによって左脚の生体インピーダンス値の基準値が２８７Ω（一点鎖線）であることを確認した。その後、被検者は、図７に示すように、測定開始から１２日後に左脚を打撲した。この時、被検者の左脚の生体インピーダンス値は２５４Ωまで低下した。即ち、被検者の左脚の生体インピーダンス値の基準値が２８７Ωであったのに対して、打撲後初日の生体インピーダンス値は２５４Ωとなり、基準値と打撲後の生体インピーダンス値との差は−３３Ωであることが判明した。その後、測定開始から１６日後までの生体インピーダンス値は２５０Ω〜２６０Ωの範囲で推移している。従って、打撲の状態は、打撲直後の状態と比して大きく変化していないことが分かる。しかし、測定開始から１９日後における生体インピーダンス値は２７９Ωまで上昇しており、生体インピーダンス値の基準値との差は−８Ωとなっている。つまり、被検者の左脚に発生した打撲は、打撲発生から７日を経た時点において、ほぼ回復していることが分かる。この時、被検者の左脚に生じた打撲の回復度は、式（１）に示すように算出される。この測定開始から１９日後における生体インピーダンス値の測定結果や基準値、及び患部の回復状況は、図５に示すように表示部５に表示される。又、前記式（１）によって算出された患部の回復度及び判定は、図６に示すように表示部５に表示される。
【００４８】
（（３３Ω−８Ω）／３３Ω）×１００≒７６（％）・・・（１）
測定開始から１９日後以降、被検者の左脚の生体インピーダンス値と基準値との差は、−１５Ω（２０日後）、−４Ω（２１日後）、−２０Ω（２２日後）と推移している。つまり、被検者の左脚の生体インピーダンス値は、前記基準値に近い値で安定している。この結果から、被検者の左脚に発生した打撲は、打撲発生から７日後においてほぼ完全に回復したと考えることができる。ここで、打撲回復後の生体インピーダンス値の測定データとしては、複数日に渡る測定データ（ここでは、測定開始から１９日目〜２２日目の測定値）の平均値を採用してもよい。これによって、測定誤差の影響を排除した、患部の回復状態の正確な判定が可能になる。
【００４９】
このように、被検者の身体部位毎の生体インピーダンス値を測定することによって、その測定された各々の生体インピーダンス値の、過去に測定された健康状態における被検者の生体インピーダンス値に基づく身体部位毎の基準値に対する変化量から、被検者の患部の状態及びその回復傾向に係る定量的又は定性的な情報を得ることが可能になる。この場合、被検者の生体インピーダンス値を測定する技術は既に確立されており、従って被検者の生体インピーダンス値の測定は容易に行え得るので、被検者の患部の回復状態に係る情報を容易にかつ的確に得ることが可能になる。又、被検者の患部の回復状態が定量的又は定性的に判定され視覚的に表示されるので、被検者は生体インピーダンス値が変化した際における自己の患部の回復傾向を簡単にかつ明瞭に知ることができる。又、測定される生体インピーダンス値の変化は被検者の患部における細胞外液（間質液、血漿、脳脊髄液、リンパ液等）の増減に基づいているため、この細胞外液の増減に係る打撲、細菌感染を伴う外傷、若しくは炎症を伴う皮膚障害等の状態及びその回復傾向を好適に判定することが可能になる。又、患部回復判定装置１は記憶部１６を有しており、この記憶部１６に過去に測定された被検者の生体インピーダンス値の前記基準値を記憶させることができるので、被検者の患部の回復状態を判定する毎に前記基準値を入力する必要が無くなる。つまり、被検者の患部の回復状態を判定する際の手間が簡略化される。そして、患部回復状態判定装置１を用いることによって自己の患部の回復状態を知ることにより、被検者は、より一層適格に日常生活における効果的な患部治療対策を行うことが可能となる。
【００５０】
次に、本発明を実施するための最良の形態に関し、その変形例について説明する。ここでは、被検者の生体インピーダンス値の相対値の変化に基づいて患部の状態及びその回復傾向を判定する場合について説明する。
【００５１】
上記では、被検者の生体インピーダンス値として絶対値が用いられているが、本変形例では、これに代えて、被検者の生体インピーダンス値の相対値が用いられる。即ち、被検者が外傷等を負う前の健康な状態において、被検者の一身体部位（例えば、右腕）と、その一身体部位と左右対称な身体部位（例えば、左腕）とについて、各々生体インピーダンス値を測定する。そして、各測定によって得られた被検者の一身体部位の生体インピーダンス値と、その一身体部位と左右対称な身体部位の生体インピーダンス値との差（相対値）を求める。この求められた被検者の前記相対値は、患部回復状態判定装置１の記憶部１６に記憶される。そして、被検者が負傷を負った後に生体インピーダンス値を測定する際、被検者の患部を有する身体部位と、その患部を有する身体部位と左右対称な身体部位とについて各々生体インピーダンス値を測定する。例えば、被検者が右脚に患部を有している場合には、その被検者の右脚の生体インピーダンス値と、被検者の左脚の生体インピーダンス値とを各々測定する。そして、各測定によって得られた患部を有する身体部位の生体インピーダンス値と、その患部を有する身体部位と左右対称な身体部位の生体インピーダンス値との差（相対値）を求める。そして、被検者の健康状態における前記相対値と、被検者の負傷を負った後における前記相対値とを比較判定することによって、被検者の患部の状態及びその回復傾向を判定する。
【００５２】
ここで、本変形例における患部回復状態判定装置１の動作について、図面を参照しながら説明する。
【００５３】
図８は、患部回復状態判定装置１の動作の変形例を示すフローチャート図である。
【００５４】
図８において、電源ＯＮ／ＯＦＦキー６ａを押すと、患部回復状態判定装置１の電源がＯＮする（ステップＳ１）。これによって、患部回復状態判定装置１は使用可能待機状態になる。その後、モード切り換えキー６ｂを操作することによって、患部回復状態判定装置１の動作モードを登録モードに切り換える（ステップＳ２）。そして、設定画面切り換えキー６ｃを操作しながら、被検者の身長、体重、年齢及び性別等の身体特定情報を、テンキー６ｆ及び登録キー６ｄを操作することによって記憶部１６に登録する。（ステップＳ３）。そして、被検者の身体特定情報が入力され、記憶部１６に登録された後、モード切り換えキー６ｂを操作することによって、患部回復状態判定装置１の動作モードを相対値測定モードに切り換える（ステップＳ４）。続いて、被検者は、判定表示部２を両手で保持すると共に、設置部４上に乗る。この時、被検者は、左脚裏の母子丘部分を電極Ｅ５に接触させかつ左脚踵を電極Ｅ６に接触させると共に、右脚裏の母子丘部分を電極Ｅ８に接触させかつ右脚踵を電極Ｅ７に接触させるように設置部４上に乗り、左手人差し指を電極Ｅ１に接触させかつ左手親指を電極Ｅ２に接触させると共に、右手人差し指を電極Ｅ４に接触させかつ右手親指を電極Ｅ３に接触させるように判定表示部２を保持する。このように、被検者が測定姿勢をとった後、判定表示部２の支持部７ｂ上に配設されている測定キー６ｇを押し、被検者の生体インピーダンス値の測定を開始する（ステップＳ５）。次に、ステップＳ５によって被検者の生体インピーダンス値の測定が開始された後、被検者の両腕及び両脚の生体インピーダンス値が安定しているか否かが判定される（ステップＳ６）。そして、ステップＳ６によって被検者の両腕及び両脚の生体インピーダンス値が安定していることが確認されると、被検者の身体部位毎（右腕、左腕、右脚及び左脚の各々）における生体インピーダンス値の測定が開始される（ステップＳ７）。この時、測定される被検者の身体部位毎の生体インピーダンス値は、測定した日時と共に記憶部１６に記憶される。次に、ステップＳ７によって被検者の身体部位毎の生体インピーダンス値が測定された後に、判定キー６ｅを押す。すると、演算処理部１３においては、前記測定された被検者の一身体部位（例えば、右腕）の生体インピーダンス値と、その一身体部位と左右対称な身体部位（例えば、左腕）の生体インピーダンス値との差（相対値）が求められると共に、その求められた前記相対値と、予め記憶部１６に記憶されている被検者の過去の健康状態での一身体部位（例えば、右腕）の生体インピーダンス値と、その一身体部位と左右対称な身体部位（例えば、左腕）の生体インピーダンス値との差（以下、相対基準値という）とが比較される（ステップＳ８）。ここで、前記相対基準値としては、被検者の健康時における身体部位毎に複数回測定された生体インピーダンス値の左右身体部位間における差の最頻値、中央値若しくは平均値の何れか一つの値が採用される。そして、被検者の左右身体部位間の生体インピーダンス値差が前記相対基準値と各々比較されることによって、被検者の患部が存在する部位の名称と、該患部の状態及びその回復傾向が判定され、その判定された結果が表示部５に表示される（ステップＳ９）。
【００５５】
ここで、表示部５に表示される表示画面について、図面を参照しながら説明する。図９は、表示部５に表示される表示画面の一例を模式的に示す平面図である。図９に示すように、表示部５には、被検者の患部を有する部位の名称と、その患部を有する電流経路と患部を有さない電流経路とで測定された生体インピーダンス値の左右差と、過去に測定され記憶部１６に記憶されている前記相対基準値と、被検者の患部の回復状況とが表示されている。ここでは、患部を有する部位の名称は左脚であり、測定された生体インピーダンス値の左右差は３Ωであり、基準値としての生体インピーダンス値の左右差は５Ωであり、判定結果として患部の回復状況は良好であると表示されている。
【００５６】
一方、図１０は、表示部５に表示される表示画面の他の例を模式的に示す平面図である。図１０に示すように、表示部５には、被検者の患部を有する部位の名称と、その患部の回復度と、該回復度のランク表示とが表示されている。ここでは、患部を有する部位の名称は左脚であり、その患部の回復度は９３％であり、その回復度のランク表示は図１０に示した通りである。このように、表示部５に表示される表示画面としては図１０に示す表示画面としてもよく、これによって、被検者の患部の回復状態を視覚的に把握することが可能になる。
【００５７】
最後に、患部回復状態判定装置１の使用を終了する際には、電源ＯＮ／ＯＦＦキー６ａを押して患部回復状態判定装置１の電源をＯＦＦする（ステップＳ１０）。これにより、患部回復状態判定装置１は使用停止状態になる。
【００５８】
（実施例２）
被検者の患部の回復度を求め、かつ表示する患部回復状態判定装置１についての他の実施例について、実施例２として以下に説明する。ここで、本実施例は、患部として打撲を負った身体部位の生体インピーダンス値の相対値を測定して、その生体インピーダンス値の相対値の経時的変化から被検者の患部の状態及びその回復傾向を判定した例である。
【００５９】
図１１は、被検者の患部の経時的な回復状態を模式的に示すグラフである。ここで、図１１においては、一点鎖線は被検者の健康状態での左右身体部位間の生体インピーダンス値差である相対基準値を示し、点線は負傷後における被検者の左右身体部位間の生体インピーダンス値差の経時的変化を示している。
【００６０】
図１１に示すように、先ず、被検者の患部を有さない状態（即ち、健康状態）における左右身体部位間の生体インピーダンス値差の測定を測定開始初日から９日後まで行い、これによって被検者の相対基準値が５Ω（一点鎖線）であることが確認した。その後、被検者は、図１１に示すように、測定開始から１２日後に左脚を打撲した。この時、被検者の左脚と右脚との生体インピーダンス値差は３４Ωまで上昇した。即ち、被検者の相対基準値と打撲後の生体インピーダンス値差との差は＋２９Ωであることが判明した。その後、測定開始から１６日後までの生体インピーダンス値差は１５Ω〜３０Ωの範囲で推移している。従って、打撲の状態は、打撲直後の状態と比して大きく変化していないことが分かる。しかし、測定開始から１９日後における生体インピーダンス値差は３Ωまで減少しており、前記相対基準値との差は−２Ωとなっている。つまり、被検者の左脚に発生した打撲は、打撲発生から７日を経た時点において、ほぼ回復していることが分かる。この時、被検者の左脚に生じた打撲の回復度は、式（２）に示すように算出される。この測定開始から１９日後における生体インピーダンス値差の測定結果や相対基準値、及び患部の回復状況は、図９に示すように表示部５に表示される。又、前記式（２）によって算出された患部の回復度及び判定は、図１０に示すように表示部５に表示される。
【００６１】
（（２９Ω−２Ω）／２９Ω）×１００≒９３（％）・・・（２）
測定開始から１９日後以降、被検者の左脚の生体インピーダンス値差と相対基準値との差は、＋２Ω（２０日後）、−４Ω（２１日後）、＋３Ω（２２日後）と推移している。つまり、被検者の左脚と右脚との生体インピーダンス値差は、前記相対基準値に近い値で安定している。この結果から、被検者の左脚に発生した打撲は、打撲発生から７日後においてほぼ完全に回復したと考えることができる。ここで、打撲回復後の生体インピーダンス値差と相対基準値との差のデータとしては、複数日に渡る測定データ（ここでは、測定開始から１９日目〜２２日目の測定値）の平均値を採用してもよい。これによって、測定誤差の影響を排除した、患部の回復状態の正確な判定が可能になる。
【００６２】
次に、本発明の患部回復状態判定装置による患部の回復状態の判定結果と、患部を有する患者の自覚症状との関連性について図面を参照しながら説明する。
【００６３】
図１２は、被検者の生体インピーダンス値の経時変化と自覚症状の経時変化との関係を示す相関図である。図１２に示すように、生体インピーダンス値の測定に基づく患部の回復状態の判定結果と患部を有する患者の自覚症状とは、１５日目を除き、ほぼ一致していることが分かる。尚、１５日目については痛みは前日より和らいでいるが、生体インピーダンス値が前日よりも悪化している。これにより、痛みが和らいでいるとしても患部は完全には回復していないため、引き続き注意が必要であると考えることができる。
【００６４】
このようにして、左右身体部位間の生体インピーダンス値の差（相対値）を用いても、被検者の患部の状態及びその回復傾向を判定することができる。又、生体インピーダンス値の絶対値を用いる場合と同様にして患部の状態及びその回復傾向が判定され表示されるので、被検者は患部の状態及びその回復傾向を簡単に知ることができる。又、左右身体部位間の生体インピーダンス値の差に基づくことによって、被検者の生体インピーダンス値の日内変動の影響を排除することができるという効果が得られる。つまり、患部の状態及びその回復傾向をより一層的確に判定することが可能となる。
【産業上の利用可能性】
【００６５】
本発明に係る患部回復状態判定装置、及びプログラムは、被検者の打撲や炎症等の患部の状態及びその状態の回復傾向を容易に知ることが可能である患部回復状態判定装置、及びプログラムとして有用である。
【図面の簡単な説明】
【００６６】
【図１】本発明の実施の形態に係る患部回復状態判定装置の構成を模式的に示す斜視図である。
【図２】本発明の実施の形態に係る患部回復状態判定装置が有する判定表示部の構成を模式的に示す平面図である。
【図３】本発明の実施の形態に係る患部回復状態判定装置の電気回路の構成を模式的に示すブロック図である。
【図４】本発明の実施の形態に係る患部回復状態判定装置の動作の一例を示すフローチャート図である。
【図５】本発明の実施の形態に係る患部回復状態判定装置の表示部に表示される表示画面の一例を模式的に示す平面図である。
【図６】本発明の実施の形態に係る患部回復状態判定装置の表示部に表示される表示画面の他の例を模式的に示す平面図である。
【図７】被検者の患部の経時的な回復状態を模式的に示すグラフである。
【図８】本発明の実施の形態に係る患部回復状態判定装置の動作の変形例を示すフローチャート図である。
【図９】本発明の実施の形態に係る患部回復状態判定装置の表示部に表示される表示画面の一例を模式的に示す平面図である。
【図１０】本発明の実施の形態に係る患部回復状態判定装置の表示部に表示される表示画面の他の例を模式的に示す平面図である。
【図１１】被検者の患部の経時的な回復状態を模式的に示すグラフである。
【図１２】被検者の生体インピーダンス値の経時変化と自覚症状の経時変化との関係を示す相関図である。
【符号の説明】
【００６７】
１  患部回復状態判定装置
２  判定表示部
２ａ  脱着部
３  接続ケーブル
４  設置部
４ａ  収納領域
５  表示部
６  操作部
６ａ  電源ＯＮ／ＯＦＦキー
６ｂ  モード切り換えキー
６ｃ  設定画面切り換えキー
６ｄ  登録キー
６ｅ  判定キー
６ｆ  テンキー
６ｇ  測定キー
７ａ，７ｂ  支持部
８  生体インピーダンス値測定回路
９  生体インピーダンス測定面
１０  ロードセル
１１  電極切り換えスイッチ
１２  Ｉ／Ｏ
１３  演算処理部
１４  時計
１５  演算部
１６  記憶部
Ｅ１〜Ｅ８  電極
【図１】
2005095384.tif 000003
【図２】
2005095384.tif 000004
【図３】
2005095384.tif 000005
【図４】
2005095384.tif 000006
【図５】
2005095384.tif 000007
【図６】
2005095384.tif 000008
【図７】
2005095384.tif 000009
【図８】
2005095384.tif 000010
【図９】
2005095384.tif 000011
【図１０】
2005095384.tif 000012
【図１１】
2005095384.tif 000013
【図１２】
2005095384.tif 000014